(57)【要約】【課題】ＡＶアンプなどのオーディオ処理装置での音場などの再生状態の設定が、他の機器と連携して簡単かつ適正に行えるようにする。【解決手段】映像信号とオーディオ信号と制御信号とを入力又は出力し、映像信号とオーディオ信号の入力処理及び出力処理を行う入出力部３０１〜３０４を備えた装置３００に適用される。そして、その入出力部に得られたオーディオ信号を再生処理し、その処理されたオーディオ信号をスピーカ３５０から出力させる。さらに、入出力部３０１〜３０４で、映像信号の表示画質に関する所定のモード設定を示す制御信号の入力を検出した場合に、再生処理を、予め決められた音場処理又は音質処理で行うようにした。【選択図】図１
2010258604.tif 000002
【特許請求の範囲】
【請求項１】
映像信号とオーディオ信号と制御信号とを入力又は出力する伝送信号入出力部と、
前記伝送信号入出力部に得られたオーディオ信号又は別のオーディオ信号入力部に得られたオーディオ信号を再生処理する再生処理部と、
前記再生処理部で処理されたオーディオ信号をスピーカから出力させる出力部と、
前記伝送信号入出力部に、前記映像信号の表示画質に関する所定のモード設定を示す制御信号の入力を検出した場合に、前記再生処理部での再生処理を、予め決められた音場処理又は音質処理を行う制御部とを備えた
オーディオ処理装置。
【請求項２】
前記映像信号の表示画質に関する所定のモード設定は、映画の視聴に適した表示画質を設定するシアターモードの設定であり、前記制御部がシアターモードの設定を検出した場合に、前記再生処理部で映画の視聴に適した特定のオーディオ再生モードを設定する制御を行う
請求項１記載のオーディオ処理装置。
【請求項３】
前記制御部は、前記伝送信号入出力部で入力した制御信号で、入力される映像信号又はオーディオ信号のジャンルが指示される場合、前記再生処理部でその指示されたジャンルに適したオーディオ再生モードを設定し、前記シアターモードの設定を検出した場合に、前記ジャンルの指示により設定される再生モードに優先して、前記特定のオーディオ再生モードを設定する
請求項２記載のオーディオ処理装置。
【請求項４】
前記制御部は、前記伝送信号入出力部で入力した制御信号で前記シアターモードの設定を検出した場合に、他の機器でのオーディオ信号のスピーカでの出力をミューティングさせるための制御信号を前記他の機器に対して送り、前記出力部から出力させる処理を行う
請求項２記載のオーディオ処理装置。
【請求項５】
さらに前記シアターモードの設定の解除を検出した場合に、前記他の機器でのオーディオ信号のスピーカでの出力のミューティングを解除し、前記出力部からの出力を停止させる処理を行う
請求項４記載のオーディオ処理装置。
【請求項６】
映像信号とオーディオ信号と制御信号とを入力又は出力し、映像信号とオーディオ信号の入力処理及び出力処理を行う入出力処理ステップと、
前記入出力処理ステップで得られたオーディオ信号を再生処理する再生処理ステップと、
前記再生処理ステップで処理されたオーディオ信号をスピーカから出力させる出力ステップと、
前記入出力処理ステップで、前記映像信号の表示画質に関する所定のモード設定を示す制御信号の入力を検出した場合に、前記再生処理ステップでの再生処理を、予め決められた音場処理又は音質処理を行う制御ステップと
を有するオーディオ処理方法。
【発明の詳細な説明】
【技術分野】
【０００１】
この発明は、ＡＶ（Audio Visual）システムに適用して好適なオーディオ処理装置及びオーディオ処理方法に関する。詳しくは、この発明は、テレビジョン受像機などと接続してシステムを組む場合に好適なオーディオ処理技術に関する。
【背景技術】
【０００２】
映像信号（画像信号）及びオーディオ信号（オーディオ信号）の伝送用デジタルインタフェースとしてＨＤＭＩ（HighDefinition Multimedia Interface）が普及している。ＨＤＭＩは、ＰＣ（Personal Computer）とディスプレイの接続標準規格であるＤＶＩ（Digital Visual Interface）規格に音声伝送機能や著作権保護機能を加えて、ＡＶ（Audio Visual）機器向けにアレンジしたものとなっている。非特許文献１には、ＨＤＭＩ規格の詳細についての記載がある。
【０００３】
また、ＨＤＭＩ規格のインタフェースでは、制御信号について双方向に伝送可能としてある。そのため、例えば、テレビジョン受像機からＨＤＭＩケーブルで接続されたＳＴＢ（Set Top Box）やビデオディスクプレーヤ等の出力装置にコントロール信号を伝送することが可能である。このようにすることで、テレビジョン受像機のリモートコントローラでＡＶシステム全体を操作することも可能となった。なお、ＨＤＭＩ規格の伝送ケーブルで伝送されるこれらの信号としては、機器をコントロールする制御指令の他に、その指令に対する応答や、機器の状態を示す信号などが存在するが、本明細書ではこれらの信号を総括して制御信号と称する。
【０００４】
ＨＤＭＩ規格ではＣＥＣ（Consumer Electronics Control）を使った機器間制御が定義されている。ＣＥＣは、ＨＤＭＩ規格で用意された１つの伝送ラインであり、双方向にデータ伝送を行うラインである。このＣＥＣラインを使うことで、ＨＤＭＩネットワーク上に存在する各機器に割り当てられる固有の物理アドレスと論理アドレスに基づいて様々な制御を可能としている。例えば、ユーザがテレビジョン受像機でデジタル放送を視聴しているときに、ＨＤＭＩケーブルで接続されたビデオディスクプレーヤを再生すると、テレビジョン受像機は自動的にビデオディスクプレーヤが接続された入力に切り換える。また、このビデオディスクプレーヤで表示するメニュー操作や、電源のオン／オフなどをテレビジョン受像機のリモートコントローラから操作することができる。
【０００５】
また、ＨＤＭＩ規格ではテレビジョン受像機を含む最大１０台の機器が接続可能に規定されている。そのため、１台のテレビジョン受像機に最大９台の外部機器を接続することができる。テレビジョン受像機に接続された外部機器が９台であれば、リモートコントローラからいずれの機器も操作が可能である。
【０００６】
ＨＤＭＩ規格では、テレビジョン受像機で画像を表示している機器を明示するためのＣＥＣメッセージとして<Active Source>を規定している。この規定によれば、例えば、ユーザがＨＤＭＩ規格対応のビデオディスクプレーヤの再生ボタンを操作すると、ビデオディスクプレーヤはレーヤ自身が安定した映像信号を出力可能な状態（すなわち、アクティブな状態）であればＡＶストリームを出力する。また、アクティブ機器であることを示す<Active Source>メッセージをブロードキャストする。
【０００７】
ここで、「ブロードキャスト」とは、特定の機器に対してではなく全機器を送信先対象とした信号の一斉送信のことをいう。<Active Source>メッセージをブロードキャストされたテレビジョン受像機およびその他の外部機器は、ビデオプレーヤから出力されるＡＶストリームを再生するために経路の切り換えを行う。
【０００８】
このように、ＨＤＭＩ規格では、テレビジョン受像機で映像を表示を開始する機器が<ActiveSource>メッセージをネットワーク内の他の機器にブロードキャストすることが規定されている。なお、<ActiveSource>メッセージは、ＨＤＭＩ規格で定義されたＣＥＣメッセージの一つである。
【０００９】
また、従来、特許文献１等に記載されているように、ＨＤＭＩ-ＣＥＣによる制御として、テレビジョン受像機で得たＥＰＧ（Electronic Program Guide：電子番組情報）のジャンル情報に応じて、再生音場を変更する機能が実現されている。この機能は、テレビジョン受像機で視聴する番組受信開始時、あるいは、番組変更時にＥＰＧのジャンル情報をＨＤＭＩ−ＣＥＣラインに流す。そのＣＥＣラインで流されたジャンル情報を、ＡＶアンプなどと称されるオーディオ再生機器が受信すると、それに応じた再生音場に設定する。
【００１０】
たとえばスポーツ番組を視聴する際には、そのスポーツ番組の臨場感が得られる再生モードを設定し、ニュース番組を視聴する際には、音声（話し声）が聞き取り易い再生モードを設定するなどの対処が可能となる。
【先行技術文献】
【特許文献】
【００１１】
【特許文献１】特開２００８−３５３９９号公報
【非特許文献】
【００１２】
【非特許文献１】High-Definition Multimedia InterfaceSpecification Version 1.3a,November 10 2006
【発明の開示】
【発明が解決しようとする課題】
【００１３】
上述したようにＨＤＭＩ規格のケーブルでテレビジョン受像機とＡＶアンプなどのオーディオ再生機器とを接続することで、視聴するＡＶコンテンツのジャンルに応じた再生音場の設定が可能となる。
ところが、このような音場などのモード設定を視聴中のコンテンツに応じて自動的に設定するようにすると、必ずしも視聴中のユーザの意思を反映した音場設定とはならない可能性があった。即ち、ユーザは、ＡＶアンプを使って特定の音場設定でＡＶコンテンツの視聴を行いたいと思った場合には、ＡＶアンプそのものの操作画面を表示させて、希望する音場設定などの操作を行う必要があった。あるいは、ＡＶアンプ専用のリモートコントローラを用意して、そのリモートコントローラのキー操作などで、音場などの再生モードの選択操作を行う必要があった。そのような手動操作による設定は、面倒で煩わしい作業であり、好ましいとは言えなかった。
また、テレビジョン受像機で視聴させる全てのＡＶコンテンツについて、ジャンル情報が得られるとは限らず、ジャンル情報による設定だけでは、適切な設定ができない可能性が高かった。
【００１４】
本発明の目的は、ＡＶアンプなどのオーディオ処理装置での音場などの再生状態の設定が、他の機器と連携して簡単かつ適正に行えるようにすることにある。
【課題を解決するための手段】
【００１５】
本発明は、映像信号とオーディオ信号と制御信号とを入力又は出力し、映像信号とオーディオ信号の入力処理及び出力処理を行う入出力部を備えた装置に適用される。そして、その入出力部に得られたオーディオ信号を再生処理し、その処理されたオーディオ信号をスピーカから出力させる。さらに、入出力部で、映像信号の表示画質に関する所定のモード設定を示す制御信号の入力を検出した場合に、再生処理を、予め決められた音場処理又は音質処理で行うようにした。
【００１６】
このようにしたことで、外部機器側から当該機器に対して、映像の表示画質に関する所定のモード設定を示す制御信号を送るだけで、当該機器側で、予め決められた音場処理又は音質処理で行うようになる。
【発明の効果】
【００１７】
本発明によれば、外部機器で、映像の表示画質に関する所定のモード設定を行うだけで、自動的に、予め決められた音場処理又は音質処理を行うことができ、ユーザの操作で、複数の機器を連携させた音場や音質の設定が簡単に行えるようになる。
【図面の簡単な説明】
【００１８】
【図１】本発明の一実施の形態のＡＶシステムの構成例を示すブロック図である。
【図２】デバイスとＣＥＣ論理アドレスの対応関係を示すＣＥＣテーブルを示す図である。
【図３】ジャンル情報と音場（SOUND FIELD）の対応関係の一例を示す図である。
【図４】ＡＶアンプで付与される各音場特性の特徴を示す図である。
【図５】本発明の一実施の形態のＡＶシステムを構成するテレビジョン受像機（シンク機器）の構成例を示すブロック図である。
【図６】本発明の一実施の形態のテレビジョン受像機用リモートコントローラの構成例を示す平面図である。
【図７】本発明の一実施の形態のＡＶシステムを構成するＡＶアンプ（リピータ機器）の構成例を示すブロック図である。
【図８】ＨＤＭＩ送信部（ＨＤＭＩソース）とＨＤＭＩ受信部（ＨＤＭＩシンク）の構成例を示すブロック図である。
【図９】ＨＤＭＩトランスミッタとＨＤＭＩレシーバの構成例を示すブロック図である。
【図１０】ＴＭＤＳ伝送データの構造を示す図である。
【図１１】ＣＥＣライン（ＣＥＣチャネル）で伝送されるデータのブロック構成を示す図である。
【図１２】ヘッダブロックのデータ構造例を示す図である。
【図１３】本発明の一実施の形態のＡＶアンプの動作例（System Audio Control オンの例）を示すフローチャートである。
【図１４】本発明の一実施の形態のＡＶアンプの動作例（ＣＥＣ設定オンの例）を示すフローチャートである。
【図１５】本発明の一実施の形態のＡＶアンプの動作例（ＣＥＣの画音モードの通知を受けたときの例）を示すフローチャートである。
【図１６】本発明の一実施の形態のテレビジョン受像機の動作例（シアターモードオン時の例）を示すフローチャートである。
【図１７】本発明の一実施の形態のテレビジョン受像機の動作例（シアターモード解除時の例）を示すフローチャートである。
【図１８】本発明の一実施の形態のＡＶアンプの動作例（ジャンル情報受信時の例）を示すフローチャートである。
【図１９】本発明の一実施の形態の通信状態の例を示すシーケンス図である。
【図２０】本発明の一実施の形態によるシアターモードに関する状態遷移を示す説明図である。
【発明を実施するための最良の形態】
【００１９】
以下、本発明の一実施の形態の例を、添付図面を参照して説明する。本実施の形態においては、以下の順序で説明する。
１．システム全体構成例［図１〜図４］
２．テレビジョン受像機の構成例［図５，図６］
３．ＡＶアンプの構成例［図７］
４．ＨＤＭＩ規格の伝送構成及び処理例［図８〜図１２］
５．シアターモードの設定時及び解除時に関する処理例［図１３〜図２０］
【００２０】
１．システム全体構成例［図１，図２］
以下、本発明の一実施の形態の例について説明する。
図１は、本実施の形態としてのＡＶシステム１００の構成例を示している。
【００２１】
このＡＶシステム１００は、テレビジョン受像機２００と、ＡＶアンプ３００と、ビデオレコーダ４００と、ビデオプレーヤ５００と、ビデオレコーダ６００とを有している。ビデオレコーダ４００と、ビデオプレーヤ５００およびビデオレコーダ６００は、ＨＤＭＩのソース機器を構成している。ＡＶアンプ３００はＨＤＭＩのリピータ機器を構成している。テレビジョン受像機２００は、ＨＤＭＩのシンク機器を構成している。ビデオレコーダ４００とビデオプレーヤ５００とビデオレコーダ６００は、それぞれＤＶＤなどのビデオディスクやハードディスクなどを記録媒体として使って、ビデオデータ（ＡＶコンテンツ）の記録や再生を行う機器である。
【００２２】
テレビジョン受像機２００は、ＣＥＣ対応機器であり、ＨＤＭＩ端子２０１，２０２と、光出力端子２０３とを備えている。テレビジョン受像機２００は、リモートコントローラ８００により遠隔制御可能な構成としてある。ビデオレコーダ４００はＨＤＭＩ端子４０１を、ビデオプレーヤ５００はＨＤＭＩ端子５０１を、ビデオレコーダ６００はＨＤＭＩ端子６０１を備え、いずれの機器もＣＥＣ対応機器である。
【００２３】
ＡＶアンプ３００は、ＣＥＣ対応機器であり、ＨＤＭＩ端子３０１，３０２，３０３，３０４と、光入力端子３０５とを備えている。このＡＶアンプ３００には、複数のスピーカで構成されているスピーカ群３５０が接続されており、ＡＶアンプ３００で再生処理したオーディオ信号をスピーカ群３５０から出力させる構成としてある。このスピーカ群３５０は、例えば、５．１チャンネルのサラウンドを実現する、聴取者の正面、右前方、左前方、右後方、左後方に位置するスピーカ、および低音出力用サブウーファスピーカで構成されている。ＡＶアンプ３００と各スピーカとは別体で構成させてもよいが、例えばテレビジョン受像機を載置するラック内に、ＡＶアンプと各スピーカ（少なくともフロント側のスピーカ）を収納させた構成でもよい。
【００２４】
テレビジョン受像機２００およびＡＶアンプ３００は、ＨＤＭＩケーブル７０１および光ケーブル７０２を介して接続されている。すなわち、ＨＤＭＩケーブル７０１の一端はテレビジョン受像機２００のＨＤＭＩ端子２０１に接続され、その他端はＡＶアンプ３００のＨＤＭＩ端子３０４に接続されている。また、光ケーブル７０２の一端はテレビジョン受像機２００の光出力端子２０３に接続され、その他端はＡＶアンプ３００の光入力端子３０５に接続されている。
【００２５】
また、ＡＶアンプ３００およびビデオレコーダ４００は、ＨＤＭＩケーブル７０３を介して接続されている。すなわち、ＨＤＭＩケーブル７０３の一端はＡＶアンプ３００のＨＤＭＩ端子３０１に接続され、その他端はビデオレコーダ４００のＨＤＭＩ端子４０１に接続されている。
【００２６】
また、ＡＶアンプ３００およびビデオプレーヤ５００は、ＨＤＭＩケーブル７０４を介して接続されている。すなわち、ＨＤＭＩケーブル７０４の一端はＡＶアンプ３００のＨＤＭＩ端子３０２に接続され、その他端はビデオプレーヤ５００のＨＤＭＩ端子５０１に接続されている。
【００２７】
さらに、ＡＶアンプ３００およびビデオレコーダ６００は、ＨＤＭＩケーブル７０５を介して接続されている。すなわち、ＨＤＭＩケーブル７０５の一端はＡＶアンプ３００のＨＤＭＩ端子３０３に接続され、その他端はビデオレコーダ６００のＨＤＭＩ端子６０１に接続されている。
【００２８】
図１に示すＡＶシステム１００において、各機器の物理アドレス（Physical Address）およびＣＥＣ論理アドレス（Logical Address）の取得は、例えば、以下のように行われる。
【００２９】
すなわち、テレビジョン受像機２００（物理アドレスは［００００］、ＣＥＣ論理アドレスは｛０｝）にＨＤＭＩケーブル７０１を介してＡＶアンプ３００が接続されるとき、ＡＶアンプ３００はＨＤＭＩ制御プロトコルを使用して、テレビジョン受像機２００から物理アドレス［１０００］を取得する。
【００３０】
ＣＥＣ対応機器は、ＨＤＭＩ接続時に、論理アドレスを取得するように規定されている。ＣＥＣ対応機器は、この論理アドレスを用いて、メッセージの送受信を行う。図２は、デバイスとＣＥＣ論理アドレスの対応関係を表すテーブルを示している。デバイスの「ＴＶ」はテレビジョン受像機、プロジェクタ等の映像を表示する機器である。デバイスの「Recording Device」は、ハードディスクレコーダやＤＶＤレコーダ等の録画機器である。デバイスの「Tuner」は、ケーブルテレビの受信などを行うＳＴＢ（Set Top Box）等のＡＶコンテンツを受信する機器である。デバイスの「Playback Device」はビデオプレーヤ、カムコーダ等の再生機器である。デバイスの「Audio System」はＡＶアンプ等のオーディオ処理装置である。
【００３１】
ＡＶアンプ３００は、上述したように、ＣＥＣ対応機器である。ＡＶアンプ３００は、図２のテーブルに基づいて、「Audio System」として論理アドレス｛５｝を決定する。この場合、ＡＶアンプ３００は、ＣＥＣ制御プロトコルのPolling Messageで他の機器に、この論理アドレス｛５｝を持つ機器が存在しないことを認識した後に、当該論理アドレス｛５｝を自身の論理アドレスとして決定する。そして、ＡＶアンプ３００は、ＣＥＣ制御プロトコルのReport Physical Addressにより、物理アドレス［１０００］は、ＣＥＣ対応機器｛５｝であることを、テレビジョン受像機２００に通知する。
【００３２】
また、ＡＶアンプ３００にＨＤＭＩケーブル７０３を介してビデオレコーダ４００が接続されるとき、ビデオレコーダ４００は、ＨＤＭＩ制御プロトコルを使用して、ＡＶアンプ３００から物理アドレス［１１００］を取得する。
【００３３】
ビデオレコーダ４００は、上述したように、ＣＥＣ対応機器である。ビデオレコーダ４００は、図２のテーブルに基づいて、「Recording Device」として論理アドレス｛１｝を決定する。この場合、ビデオレコーダ４００は、ＣＥＣ制御プロトコルのPolling Messageで他の機器に、この論理アドレス｛１｝を持つ機器が存在しないことを認識した後に、当該論理アドレス｛１｝を自身の論理アドレスとして決定する。そして、ビデオレコーダ４００は、ＣＥＣ制御プロトコルのReport Physical Addressにより、物理アドレス［１１００］は、ＣＥＣ対応機器｛１｝であることを、テレビジョン受像機２００およびＡＶアンプ３００に通知する。
【００３４】
また、ＡＶアンプ３００にＨＤＭＩケーブル７０４を介してビデオプレーヤ５００が接続されるとき、ビデオプレーヤ５００は、ＨＤＭＩ制御プロトコルを使用して、ＡＶアンプ３００から物理アドレス［１２００］を取得する。
【００３５】
ビデオプレーヤ５００は、上述したように、ＣＥＣ対応機器である。ビデオプレーヤ５００は、図２のテーブルに基づいて、「Playback Device」として論理アドレス｛４｝を決定する。この場合、ビデオプレーヤ５００は、ＣＥＣ制御プロトコルのPolling Messageで他の機器に、この論理アドレス｛４｝を持つ機器が存在しないことを認識した後に、当該論理アドレス｛４｝を自身の論理アドレスとして決定する。そして、ビデオプレーヤ５００は、ＣＥＣ制御プロトコルのReport Physical Addressにより、物理アドレス［１２００］は、ＣＥＣ対応機器｛４｝であることを、テレビジョン受像機２００およびＡＶアンプ３００に通知する。
【００３６】
また、ＡＶアンプ３００にＨＤＭＩケーブル７０５を介してビデオレコーダ６００が接続されるとき、ビデオレコーダ６００は、ＨＤＭＩ制御プロトコルを使用して、ＡＶアンプ３００から物理アドレス［１３００］を取得する。
【００３７】
ビデオレコーダ６００は、上述したように、ＣＥＣ対応機器である。ビデオレコーダ６００は、図２のテーブルに基づいて、「recording Device」として論理アドレス｛２｝を決定する。この場合、ビデオレコーダ６００は、ＣＥＣ制御プロトコルのPolling Messageで他の機器に、この論理アドレス｛２｝を持つ機器が存在しないことを認識した後に、当該論理アドレス｛２｝を自身の論理アドレスとして決定する。そして、ビデオレコーダ６００は、ＣＥＣ制御プロトコルのReport Physical Addressにより、物理アドレス［１３００］は、ＣＥＣ対応機器｛２｝であることを、テレビジョン受像機２００およびＡＶアンプ３００に通知する。
【００３８】
図１に示すＡＶシステム１００において、テレビジョン受像機２００のチューナで選局された番組を視聴する場合には、以下のようになる。すなわち、チューナで得られる映像信号による画像は、テレビジョン受像機２００の表示パネル（図示せず）に表示される。チューナで得られるオーディオ信号によるオーディオ（音声）は、ＡＶアンプ３００がシステムオーディオモードオフの状態にあるときは、テレビジョン受像機２００のスピーカ（図示せず）から出力される。また、チューナで得られるオーディオ信号によるオーディオは、システムオーディオモードオンの状態にあるときは、ＡＶアンプ３００に接続されているスピーカ群３５０から出力される。
【００３９】
またテレビジョン受像機２００は、シアターモードと称される特定の画音設定のモードを用意してある。シアターモードが設定された際には、表示パネルでの映像表示が、映画の映像表示に適した諧調や色調の映像表示モードになると共に、スピーカからのオーディオ出力についても映画のオーディオ再生に適したサラウンドモードになる。映画の映像表示に適した諧調や色調の映像表示モードとは、例えば、映像の暗部の表示特性などを向上させた、画面の明るさよりも画質を優先させた表示モードである。また、映画のオーディオ再生に適したサラウンドモードとは、例えば、映画用の立体音響を良好に再現できる、マルチチャンネルオーディオ再生用のモードである。なお、本明細書では、これらの映像表示モードとオーディオ再生モードを合わせて、画音モードと称する場合がある。また、シアターモードでない場合には、映像モードやオーディオモードとしてノーマルモードとするようにしてある。ノーマルモードは、映像表示を標準的な表示を行うと共に、オーディオ再生を通常の２チャンネルステレオで行うモードである。但しジャンルによるモード設定や、他の操作でのモード設定で、シアターモードを解除した場合に、ノーマルモード以外が設定される場合もある。
【００４０】
なお、図１に示したようにテレビジョン受像機２００にＡＶアンプ３００が接続されている状態では、シアターモード時には、そのＡＶアンプ３００側のスピーカ群３５０を優先的に使用するようにしてある。但し後述するようにスピーカ切換え操作でいずれのスピーカを使用するか選択操作が可能である。テレビジョン受像機２００は、ＨＤＭＩのＣＥＣライン（ＣＥＣチャンネル）を介して、ネットワーク内の機器に、シアターモードの設定のオン／オフの情報を通知可能としてある。
【００４１】
テレビジョン受像機２００のチューナで得られるオーディオ信号は、例えば光デジタルオーディオ信号とされて、光ケーブル７０２を介してＡＶアンプ３００に供給される。また、ＡＶアンプ３００におけるシステムオーディオモードのオン／オフの設定は、ユーザがＡＶアンプ３００のユーザ操作部（図示せず）を操作して行うことができる他、ユーザがテレビジョン受像機２００のユーザ操作部（図示せず）を操作して行うことができる。テレビジョン受像機２００のリモートコントローラ８００の操作で、スピーカ切換え指示を行うことでも設定できる。
【００４２】
また、テレビジョン受像機２００のチューナで得られるオーディオ信号がＡＶアンプ３００に接続されているスピーカ群３５０から出力される場合にあって、ＡＶアンプ３００がジャンル連動モードオンの状態にあるときは、以下のようになる。すなわち、ＡＶアンプ３００では、テレビジョン受像機２００からＣＥＣラインを通じてＡＶアンプ３００に供給されるＥＰＧのジャンル情報に基づいて、テレビジョン受像機２００からのオーディオ信号に対して音場特性が付与される。
【００４３】
またＡＶアンプ３００は、テレビジョン受像機２００からシアターモードの設定オンの情報を受信した場合には、内部で処理するオーディオ信号の音場や音質を設定するサラウンドモードを、映画のオーディオ処理に適したサラウンドモードとする。そして、接続されたスピーカ群３５０からそのサラウンドモードでのオーディオ出力を行う。また、シアターモードの設定オンの情報を受信した際に、テレビジョン受像機２００側のスピーカからＡＶアンプ３００側のスピーカ群３５０側に切換える処理も行う構成としてある。
また、シアターモードの設定時には、ジャンル連動モードが設定されていても、シアターモードの設定を優先する構成としてある。即ち、シアターモードオンとした場合には、ジャンルが通知されても、ＡＶアンプ３００やテレビジョン受像機２００は、シアターモードでの音場や音質を設定する構成としてある。
このシアターモードの設定オン／オフに関する処理の詳細については後述する。なお、シアターモードの通知は、送信先の論理アドレスをアドレス１５（図２参照）として、ブロードキャスト送信によりＨＤＭＩで構成されるネットワーク内の全ての機器に同報する。
【００４４】
なお、ＡＶアンプ３００におけるジャンル連動モードのオン／オフの設定は、ユーザがＡＶアンプ３００またはテレビジョン受像機２００のユーザ操作部（図示せず）を操作して行うことができる他、ユーザがテレビジョン受像機２００のユーザ操作部（図示せず）を操作して行うことができる。リモートコントローラ８００の操作でも可能である。
【００４５】
図３は、ジャンル情報と音場（SOUND FIELD）の対応関係の一例を示している。また、図４は、ＡＶアンプ３００で付与される各音場特性の特徴を示している。
【００４６】
また、図１に示すＡＶシステム１００において、例えば、テレビジョン受像機２００からの切り換え操作、ビデオレコーダ４００の再生釦操作等により、ビデオレコーダ４００でディスクから再生されたコンテンツ、あるいはチューナで選局された番組を視聴する場合には、以下のようになる。
【００４７】
すなわち、ビデオレコーダ４００の出力映像信号による画像は、テレビジョン受像機２００の表示パネル（図示せず）に表示される。この場合、ビデオレコーダ４００の出力映像信号は、ＨＤＭＩケーブル７０３、ＡＶアンプ３００およびＨＤＭＩケーブル７０１を介してテレビジョン受像機２００に供給される。
【００４８】
ビデオレコーダ４００の出力オーディオ信号による音声は、ＡＶアンプ３００がシステムオーディオモードオフの状態にあるときは、テレビジョン受像機２００のスピーカ（図示せず）から出力される。この場合、ビデオレコーダ４００の出力オーディオ信号は、ＨＤＭＩケーブル７０３、ＡＶアンプ３００およびＨＤＭＩケーブル７０１を介してテレビジョン受像機２００に供給される。
【００４９】
また、ビデオレコーダ４００の出力オーディオ信号による音声は、ＡＶアンプ３００がシステムオーディオモードオンの状態にあるときは、ＡＶアンプ３００に接続されているスピーカ群３５０から出力される。この場合、ビデオレコーダ４００の出力オーディオ信号は、ＨＤＭＩケーブル７０３を介してＡＶアンプ３００に供給される。
【００５０】
この場合、ＡＶアンプ３００がジャンル連動モードオンの状態にあるときは、以下のようになる。すなわち、ＡＶアンプ３００では、ビデオレコーダ４００からＣＥＣラインを通じてＡＶアンプ３００に供給されるジャンル情報（ＥＰＧのジャンル情報、ディスクから再生されるコンテンツの種別情報等）に基づいて、ビデオレコーダ４００からのオーディオ信号に対して音場特性が付与される（図３、図４参照）。但し、先に説明したようにシアターモード設定時には、そのシアターモードの設定が優先される。
【００５１】
また、図１に示すＡＶシステム１００において、例えば、テレビジョン受像機２００からの切り換え操作、ビデオプレーヤ５００の再生釦操作等により、ビデオプレーヤ５００でディスクから再生されたコンテンツを視聴する場合には、以下のようになる。
【００５２】
すなわち、ビデオプレーヤ５００の出力映像信号による画像は、テレビジョン受像機２００の表示パネル（図示せず）に表示される。この場合、ビデオプレーヤ５００の出力映像信号は、ＨＤＭＩケーブル７０４、ＡＶアンプ３００およびＨＤＭＩケーブル７０１を介してテレビジョン受像機２００に供給される。
【００５３】
ビデオプレーヤ５００の出力オーディオ信号による音声は、ＡＶアンプ３００がシステムオーディオモードオフの状態にあるときは、テレビジョン受像機２００のスピーカ（図示せず）から出力される。この場合、ビデオプレーヤ５００の出力オーディオ信号は、ＨＤＭＩケーブル７０４、ＡＶアンプ３００およびＨＤＭＩケーブル７０１を介してテレビジョン受像機２００に供給される。
【００５４】
また、ビデオプレーヤ５００の出力オーディオ信号による音声は、ＡＶアンプ３００がシステムオーディオモードオンの状態にあるときは、ＡＶアンプ３００に接続されているスピーカ群３５０から出力される。この場合、ビデオプレーヤ５００の出力オーディオ信号は、ＨＤＭＩケーブル７０４を介してＡＶアンプ３００に供給される。
【００５５】
この場合、ＡＶアンプ３００がジャンル連動モードオンの状態にあるときは、以下のようになる。すなわち、ＡＶアンプ３００では、ビデオプレーヤ５００からＣＥＣラインを通じてＡＶアンプ３００に供給されるジャンル情報（再生ディスクの内容を示すディスク種別情報等）に基づいて、ビデオプレーヤ５００からのオーディオ信号に対して音場特性が付与される（図３、図４参照）。
【００５６】
また、図１に示すＡＶシステム１００において、例えば、テレビジョン受像機２００からの切り換え操作等により、ビデオレコーダ６００でディスクから再生されたコンテンツ、あるいはチューナで選局された番組を視聴する場合には、以下のようになる。
【００５７】
すなわち、ビデオレコーダ６００の出力映像信号による画像は、テレビジョン受像機２００の表示パネル（図示せず）に表示される。この場合、ビデオレコーダ６００の出力映像信号は、ＨＤＭＩケーブル７０５、ＡＶアンプ３００およびＨＤＭＩケーブル７０１を介してテレビジョン受像機２００に供給される。
【００５８】
ビデオレコーダ６００の出力オーディオ信号による音声は、ＡＶアンプ３００がシステムオーディオモードオフの状態にあるときは、テレビジョン受像機２００のスピーカ（図示せず）から出力される。この場合、ビデオレコーダ６００の出力オーディオ信号は、ＨＤＭＩケーブル７０５、ＡＶアンプ３００およびＨＤＭＩケーブル７０１を介してテレビジョン受像機２００に供給される。
【００５９】
また、ビデオレコーダ６００の出力オーディオ信号による音声は、ＡＶアンプ３００がシステムオーディオモードオンの状態にあるときは、ＡＶアンプ３００に接続されているスピーカ群３５０から出力される。この場合、ビデオレコーダ６００の出力オーディオ信号は、ＨＤＭＩケーブル７０５を介してＡＶアンプ３００に供給される。
【００６０】
この場合、ＡＶアンプ３００がジャンル連動モードオンの状態にあるときは、以下のようになる。すなわち、ＡＶアンプ３００では、ビデオプレーヤ５００からＣＥＣラインを通じてＡＶアンプ３００に供給されるジャンル情報（再生ディスクの内容を示すディスク種別情報等）に基づいて、ビデオプレーヤ５００からのオーディオ信号に対して音場特性が付与される（図３、図４参照）。
【００６１】
２．テレビジョン受像機の構成例［図５，図６］
図５は、本実施の形態の例のテレビジョン受像機２００の構成例を示している。このテレビジョン受像機２００は、ＨＤＭＩ端子２０１，２０２と、ＨＤＭＩスイッチャ２０４と、ＨＤＭＩ受信部２０５と、アンテナ端子２１０と、デジタルチューナ２１１を有する。また、デマルチプレクサ２１２と、ＭＰＥＧ(Moving Picture Expert Group)デコーダ２１３と、映像・グラフィック処理回路２１４と、パネル駆動回路２１５と、表示パネル２１６とを有する。さらに、オーディオ処理回路２１７と、オーディオ増幅回路２１８と、スピーカ２１９とを有する。さらにまた、内部バス２３０と、ＣＰＵ（中央制御ユニット）２３１と、フラッシュＲＯＭ２３２と、ＤＲＡＭ２３３と、リモートコントロール信号受信部２３４とを有している。
【００６２】
ＣＰＵ２３１は、テレビジョン受像機２００の各部の動作を制御する。フラッシュＲＯＭ２３２は、制御ソフトウェアの格納およびデータの保管を行う。ＤＲＡＭ２３３は、ＣＰＵ２３１のワークエリア等を構成する。ＣＰＵ２３１は、フラッシュＲＯＭ２３２から読み出したソフトウェアやデータをＤＲＡＭ２３３上に展開してソフトウェアを起動し、テレビジョン受像機２００の各部を制御する。ＣＰＵ２３１、フラッシュＲＯＭ２３２およびＤＲＡＭ２３３は、内部バス２３０に接続されている。なお、後述するシアターモード時の処理の制御についても、フラッシュＲＯＭ２３２などに格納された制御ソフトウェアに基づいてＣＰＵ２３１が行う。
【００６３】
リモートコントロール信号受信部２３４は、リモートコントローラ８００から送信された、例えば赤外線のリモートコントロール信号（リモコンコード）を受信し、ＣＰＵ２３１に供給する。ユーザは、リモートコントローラ８００を操作することで、テレビジョン受像機２００の操作、およびこのテレビジョン受像機２００にＨＤＭＩケーブルで接続されているその他のＣＥＣ対応機器の操作を行うことができる。
【００６４】
アンテナ端子２１０は、受信アンテナ（図示しない）で受信されテレビジョン放送信号を入力する端子である。デジタルチューナ２１１は、アンテナ端子２１０に入力されたテレビ放送信号を処理して、ユーザの選択チャネルに対応した所定のトランスポートストリームを出力する。デマルチプレクサ２１２は、デジタルチューナ２１２で得られたトランスポートストリームから、ユーザの選択チャネルに対応した、パーシャルＴＳ（Transport Stream）（映像データのＴＳパケット、オーディオデータのＴＳパケット）を抽出する。
【００６５】
また、デマルチプレクサ２１２は、デジタルチューナ２１１で得られたトランスポートストリームから、ＰＳＩ／ＳＩ(Program Specific Information/Service Information)を取り出し、ＣＰＵ２３１に出力する。デジタルチューナ２１１で得られたトランスポートストリームには、複数のチャネルが多重化されている。デマルチプレクサ２１２で、当該トランスポートストリームから任意のチャネルのパーシャルＴＳを抽出する処理は、ＰＳＩ／ＳＩ（ＰＡＴ／ＰＭＴ）から当該任意のチャネルのパケットＩＤ（ＰＩＤ）の情報を得ることで可能となる。
【００６６】
ＭＰＥＧデコーダ２１３は、デマルチプレクサ２１２で得られる映像データのＴＳパケットにより構成される映像ＰＥＳ(Packetized Elementary Stream)パケットに対してデコード処理を行って映像データを得る。また、ＭＰＥＧデコーダ２１３は、デマルチプレクサ２１２で得られるオーディオデータのＴＳパケットにより構成されるオーディオＰＥＳパケットに対してデコード処理を行ってオーディオデータを得る。
【００６７】
映像・グラフィック処理回路２１４は、ＭＰＥＧデコーダ２１３で得られた映像データに対して、必要に応じて、スケーリング処理、グラフィックスデータの重畳処理等を行う。パネル駆動回路２１５は、映像・グラフィック処理回路２１４から出力される映像データに基づいて、表示パネル２１６を駆動する。表示パネル２１６は、例えば、ＬＣＤ(Liquid Crystal Display)、有機ＥＬ（Electro-Luminescence）、ＰＤＰ(Plasma DisplayPanel)等で構成されている。
【００６８】
オーディオ処理回路２１７は、ＭＰＥＧデコーダ２１３で得られたオーディオデータに対してＤ／Ａ変換等の必要な処理を行う。オーディオ増幅回路２１８は、オーディオ処理回路２１７から出力されるアナログオーディオ信号を増幅してスピーカ２１９に供給する。また、オーディオ処理回路２１７は、ＭＰＥＧデコーダ２１３で得られたオーディオデータをデジタル光信号に変換して、光出力端子２０３に出力する。
【００６９】
ＨＤＭＩスイッチャ２０４は、ＨＤＭＩ端子２０１，２０２をＨＤＭＩ受信部２０５に選択的に接続する。ＨＤＭＩ受信部２０５は、ＨＤＭＩスイッチャ２０４を介して、ＨＤＭＩコネクタ２０１，２０２のいずれかに選択的に接続されている。このＨＤＭＩ受信部２０５は、ＨＤＭＩに準拠した通信により、ＨＤＭＩ端子２０１，２０２に接続されている外部機器（ソース機器、またはリピータ機器）から一方向に送信されてくる映像とオーディオのデータを受信する。このＨＤＭＩ受信部２０５の詳細は後述する。
【００７０】
図５に示すテレビジョン受像機２００の動作を簡単に説明する。アンテナ端子２１０に入力されるテレビ放送信号はデジタルチューナ２１１に供給される。このデジタルチューナ２１１では、テレビ放送信号が処理されて、ユーザの選択チャネルに対応したトランスポートストリームが得られる。このトランスポートストリームは、デマルチプレクサ２１２に供給される。デマルチプレクサ２１２では、トランスポートストリームから、ユーザの選択チャネルに対応した、パーシャルＴＳ（映像データのＴＳパケット、オーディオデータのＴＳパケット）が抽出される。このパーシャルＴＳは、ＭＰＥＧデコーダ２１３に供給される。
【００７１】
ＭＰＥＧデコーダ２１３では、映像データのＴＳパケットにより構成される映像ＰＥＳパケットに対してデコード処理が行われて映像データが得られる。この映像データは、映像・グラフィック処理回路２１４において、必要に応じて、スケーリング処理、グラフィックスデータの重畳処理等が行われた後に、パネル駆動回路２１５に供給される。そのため、表示パネル２１６には、ユーザの選択チャネルに対応した画像が表示される。
【００７２】
また、ＭＰＥＧデコーダ２１３では、オーディオデータのＴＳパケットにより構成されるオーディオＰＥＳパケットに対してデコード処理が行われてオーディオデータが得られる。このオーディオデータは、オーディオ処理回路２１７でＤ／Ａ変換等の必要な処理が行われ、さらに、オーディオ増幅回路２１８で増幅された後に、スピーカ２１９に供給される。そのため、スピーカ２１９から、ユーザの選択チャネルに対応したオーディオが出力される。
【００７３】
また、ＭＰＥＧデコーダ２１３で得られるオーディオデータは、オーディオ処理回路２１７で、例えばＳ／ＰＤＩＦ規格のデジタル光信号に変換されて、光出力端子２０３に出力される。そのため、オーディオデータを、光ケーブルを介して、外部機器に送信できる。図１に示すＡＶシステム１００においては、上述したように、テレビジョン受像機２００からのオーディオデータが、光ケーブル７０２を介してＡＶアンプ３００に供給される。
【００７４】
そして、ＡＶアンプ３００がシステムオーディオモードオンの状態にあるとき、ＡＶアンプ３００に接続されているスピーカ群３５０から、テレビジョン受像機２００からのオーディオデータによるオーディオが出力される。なお、この場合、ＣＰＵ２３１によりオーディオ増幅回路２１８はミューティング状態とされ、テレビジョン受像機２００のスピーカ２１９からオーディオは出力されない。
【００７５】
また、ＨＤＭＩ受信部２０５では、ＨＤＭＩケーブルを介してＨＤＭＩ端子２０１，２０２に入力される映像およびオーディオのデータが得られる。映像データは映像・グラフィック処理回路２１４に供給される。オーディオデータは、オーディオ処理回路２１７に供給される。以降は、上述したテレビ放送信号の受信時と同様の動作となり、表示パネル２１６に画像が表示され、スピーカ２１９からオーディオが出力される。
【００７６】
図１に示すＡＶシステム１００において、例えば、ビデオレコーダ４００、ビデオプレーヤ５００またはビデオレコーダ６００からの映像データ、オーディオデータによる画像、オーディオの視聴を行う場合には、上述したように、ＨＤＭＩ受信部２０５で取得された映像データ、オーディオデータによる画像、オーディオの視聴状態となる。
【００７７】
なお、この場合にあっても、ＡＶアンプ３００がシステムオーディオモードオンの状態にあるとき、ＡＶアンプ３００に接続されているスピーカ群３５０からオーディオデータによるオーディオが出力され、テレビジョン受像機２００のオーディオ増幅回路２１８はミューティング状態とされ、スピーカ２１９からオーディオは出力されない。
【００７８】
図６は、リモートコントローラ８００の形状の例を正面から見た図である。図６に示すように、赤外線信号などを送信する送信部８０１を備え、各種操作キー８０２が配置してある。操作キー８０２としては、チャンネル指示用の数字キー、音量アップダウンキー、各モード設定用のキーなどが配置してある。モード設定用のキーの１つとして、シアターモードキー８０２ａが用意してある。このシアターモードキー８０２ａが押されることで、シアターモードが設定され、そのモードの設定中にシアターモードキー８０２ａが再度押されることで、シアターモードの設定が解除される。
なお、リモートコントローラ８００は、赤外線信号以外の信号を伝送する構成でもよく、また双方向にテレビジョン受像機２００側とやりとりする構成でもよい。
【００７９】
３．ＡＶアンプの構成例［図７］
図７は、ＡＶアンプ３００の構成例を示している。ＡＶアンプ３００は、ＨＤＭＩ端子３０１〜３０４と、光入力端子３０５と、ＨＤＭＩスイッチャ３０６と、ＨＤＭＩ受信部３０７と、ＨＤＭＩ送信部３０８と、変換部３１０とを有する。また、アナログオーディオ入力端子３１１と、アンテナ端子３１２と、ＦＭチューナ３１３と、セレクタ３１４と、Ａ／Ｄ変換器３１５と、セレクタ３１６と、ＤＳＰ（Digital Signal Processor）３１７とを有する。さらに、オーディオ増幅回路３１８と、オーディオ出力端子３１９ａ〜３１９ｆと、内部バス３２０と、ＣＰＵ３２１と、フラッシュＲＯＭ３２２と、ＤＲＡＭ３２３とを有している。
【００８０】
ここで、ＨＤＭＩスイッチャ３０６、セレクタ３１４，３１６はオーディオ入力選択部を構成し、ＤＳＰ３１７はオーディオ信号処理部を構成する。オーディオ増幅回路３１８はオーディオ信号出力用の増幅処理部を構成し、ＣＰＵ３２１は音場制御部および出力制御部を構成している。
【００８１】
ＣＰＵ３２１は、ＡＶアンプ３００の各部の動作を制御する。フラッシュＲＯＭ３２２は、制御ソフトウェアの格納およびデータの保管を行う。ＤＲＡＭ３２３は、ＣＰＵ３２１のワークエリア等を構成する。ＣＰＵ３２１は、フラッシュＲＯＭ３２２から読み出したソフトウェアやデータをＤＲＡＭ３２３上に展開してソフトウェアを起動し、ＡＶアンプ３００の各部を制御する。ＣＰＵ３２１、フラッシュＲＯＭ３２２およびＤＲＡＭ３２３は、内部バス３２０に接続されている。後述するシアターモードの設定に関する音場などの設定処理については、フラッシュＲＯＭ３２２に記憶されたプログラムに基づいたＣＰＵ３２１の制御で実行される。
【００８２】
ＣＰＵ３２１には、ユーザ操作部３２４および表示部３２５が接続されている。これらユーザ操作部３２４および表示部３２５は、ユーザインタフェースを構成している。ユーザ操作部３２４により、ユーザがＡＶアンプ３００の出力オーディオの選択、ＦＭチューナ３１３の選局、動作設定等を行うことができる。ユーザは、このユーザ操作部３２４により、ジャンル連動モードのオン／オフ、システムオーディオモードのオン／オフ等を設定できる。この意味で、ユーザ操作部３２４はモード設定部を構成している。
【００８３】
このユーザ操作部３２４は、ＡＶアンプ３００の図示しない筐体に配置されたキー、釦、ダイアル、リモートコントロール信号送受信部等で構成される。表示部３２５は、ＡＶアンプ３００の動作状態、ユーザの操作状態等を表示し、ＬＣＤ（Liquid Crystal Display）等で構成される。
【００８４】
光入力端子３０５は、光ケーブルを通じてデジタル光信号を入力する端子である。変換部３１０は、光入力端子３０５に入力されたデジタル光信号から、オーディオ信号のサンプリング周波数と同じ周波数（例えば、４４．１ｋＨｚ）を持つクロックＬＲＣＫ、サンプリング周波数の例えば５１２倍あるいは２５６倍のマスタークロックＭＣＫと、クロックＬＲＣＫの１周期毎に存在するそれぞれ２４ビットの左右のオーディオデータＬＤＡＴＡ，ＲＤＡＴＡと、データの各ビットに同期したビットクロックＢＣＫを生成して、セレクタ３１６に供給する。
【００８５】
アナログオーディオ入力端子３１１は、外部機器で得られる左右のアナログオーディオ信号を入力する端子である。アンテナ端子３１２は、ＦＭ受信アンテナ（図示しない）で受信されたＦＭ放送信号を入力する端子である。ＦＭチューナ３１３は、アンテナ端子３１２に入力されたＦＭ放送信号（ラジオ放送信号）を処理して、ユーザの選択チャネルに対応した左右のアナログオーディオ信号を出力する。セレクタ３１４は、アナログオーディオ入力端子３１１に入力されたアナログオーディオ信号またはチューナ３１３から出力されたアナログオーディオ信号を選択的に取り出す。Ａ／Ｄ変換器３１５は、セレクタ３１４で取り出されたアナログオーディオ信号をデジタルのオーディオデータに変換してセレクタ３１６に供給する。
【００８６】
ＨＤＭＩスイッチャ３０６は、ＨＤＭＩ端子３０１〜３０３をＨＤＭＩ受信部３０７に選択的に接続する。ＨＤＭＩ受信部３０７は、ＨＤＭＩスイッチャ３０６を介して、ＨＤＭＩ端子３０１〜３０３のいずれかに選択的に接続されている。このＨＤＭＩ受信部３０７は、ＨＤＭＩに準拠した通信により、ＨＤＭＩ端子３０１〜３０３に接続されている外部機器（ソース機器）から一方向に送信されてくる映像とオーディオのデータを受信する。
【００８７】
ＨＤＭＩ受信部３０７は、オーディオデータをセレクタ３１６に供給すると共に、映像とオーディオのデータをＨＤＭＩ送信部３０８に供給する。ＨＤＭＩ送信部３０８は、ＨＤＭＩに準拠した通信により、ＨＤＭＩ受信部３０７から供給されたベースバンドの映像とオーディオのデータをＨＤＭＩ端子３０４から送出する。これにより、ＡＶアンプ３００はリピータ機能を発揮する。ＨＤＭＩ受信部３０７およびＨＤＭＩ送信部３０８の詳細は後述する。
【００８８】
セレクタ３１６は、ＨＤＭＩ受信部３０７から供給されるオーディオデータ、変換部３１０から供給されるオーディオデータまたはＡ／Ｄ変換器３１５から供給されるオーディオデータを選択的に取り出し、ＤＳＰ３１７に供給する。
【００８９】
ＤＳＰ３１７は、セレクタ３１６で得られたオーディオデータを処理し、サラウンドオーディオを実現するための各チャネルのオーディオデータを生成する処理、所定の音場特性や音響特性を付与する処理、デジタル信号をアナログ信号に変換する処理等を行う。例えば、５．１チャンネルサラウンドオーディオの音場処理を行うことができる。また、２チャンネルオーディオなどの他のモードとすることも可能である。オーディオ増幅回路３１８は、ＤＳＰ３１７から出力されるフロントレフトオーディオ信号ＳFL、フロントライトオーディオ信号ＳFR、フロントセンタオーディオ信号ＳFCと、リアレフトオーディオ信号ＳRL、リアライトオーディオ信号ＳRRおよびサブウーファオーディオ信号Ｓswを増幅して、オーディオ出力端子３１９ａ〜３１９ｆに出力する。
【００９０】
なお、図示は省略しているが、オーディオ出力端子３１９ａ〜３１９ｆには、スピーカ群３５０を構成する各スピーカが接続されている。即ち、フロントレフトスピーカ、フロントライトスピーカ、フロントセンタースピーカ、リアレフトスピーカ、リアライトスピーカおよびサブウーファスピーカが接続されている。但し、ＤＳＰ３１７での仮想音像定位処理などで、これより少ない数のスピーカで、サラウンドオーディオが再生されるようにしてもよい。
【００９１】
図７に示すＡＶアンプ３００の動作を簡単に説明する。ＨＤＭＩ受信部３０７では、ＨＤＭＩケーブルを介してＨＤＭＩ端子３０１〜３０３に入力されるベースバンドの映像およびオーディオのデータが得られる。この映像およびオーディオデータは、ＨＤＭＩ送信部３０８に供給され、ＨＤＭＩ端子３０４に接続されたＨＤＭＩケーブルに送出される。
【００９２】
また、ＨＤＭＩ受信部３０７で得られるオーディオデータは、セレクタ３１６に供給される。セレクタ３１６では、ＨＤＭＩ受信部３０７から供給されるオーディオデータ、変換部３１０から供給されるオーディオデータまたはＡ／Ｄ変換器３１５から供給されるオーディオデータが選択的に取り出され、ＤＳＰ３１７に供給される。
【００９３】
ＤＳＰ３１７では、オーディオデータに対して、５．１チャンネルサラウンドを実現するための各チャネルのオーディオデータを生成する処理、所定の音場特性を付与する処理、デジタル信号をアナログ信号に変換する処理等の必要な処理が施される。ＤＳＰ３１７から出力される各チャネルのオーディオ信号はオーディオ増幅回路３１８を介してオーディオ出力端子３１９ａ〜３１９ｆに出力される。
【００９４】
例えば、図１に示すＡＶシステム１００において、テレビジョン受像機２００のデジタルチューナ２１１で選局された番組の視聴を行う場合であって、ＡＶアンプ３００がシステムオーディオモードオンの状態にあるときには、以下のような動作となる。すなわち、セレクタ３１６では変換部３１０からのオーディオデータが取り出される。これにより、オーディオ出力端子３１９ａ〜３１９ｆには、テレビジョン受像機２００のデジタルチューナ２１１で選局された番組のオーディオデータに係る各チャネルのオーディオ信号が出力される。そのため、ＡＶアンプ３００に接続されているスピーカ群３５０からは、テレビジョン受像機２００のデジタルチューナ２１１で選局された番組のオーディオが出力される。
【００９５】
ここで、ＡＶアンプ３００がジャンル連動モードオンにあるときには、ＤＳＰ３１７では、セレクタ３１６で取り出されたオーディオデータに対して、テレビジョン受像機２００からＣＥＣラインで供給されるジャンル情報に対応した音場特性が付与される。そのため、ＡＶアンプ３００に接続されているスピーカ群３５０から出力されるオーディオは、テレビジョン受像機２００のデジタルチューナ２１１で選局された番組のジャンルに対応した音場特性を持つものとなる。また、テレビジョン受像機２００側でシアターモードが設定されている場合には、予め決められたシアターモード用の音場設定となる。
【００９６】
なお、テレビジョン受像機２００のデジタルチューナ２１１で選局された番組の視聴を行う場合であって、ＡＶアンプ３００がシステムオーディオモードオフの状態にあるときにはオーディオ増幅回路３１８がミューティング状態とされる。従って、オーディオ増幅回路３１８から出力端子３９ａ〜３１９ｆにオーディオ信号は供給されない。
【００９７】
また、例えば、図１に示すＡＶシステム１００において、ビデオレコーダ４００からの映像データ、オーディオデータによる画像、オーディオの視聴を行う場合であって、ＡＶアンプ３００がシステムオーディオモードオンの状態にあるときには、以下のような動作となる。すなわち、ＨＤＭＩスイッチャ３０６によりＨＤＭＩ端子３０１がＨＤＭＩ受信部３０７に接続される。また、セレクタ３１６ではＨＤＭＩ受信部３０７からのオーディオデータが取り出される。これにより、オーディオ出力端子３１９ａ〜３１９ｆには、ビデオレコーダ４００からのオーディオデータに係る各チャネルのオーディオ信号が出力される。そのため、ＡＶアンプ３００に接続されているスピーカ群３５０からは、ビデオレコーダ４００からのオーディオデータによるオーディオが出力される。
【００９８】
ここで、ＡＶアンプ３００がジャンル連動モードオンにあるときには、ＤＳＰ３１７では、セレクタ３１６で取り出されたオーディオデータに対して、ビデオレコーダ４００からＣＥＣラインで供給されるジャンル情報に対応した音場特性が付与される。
【００９９】
なお、ビデオレコーダ４００からの映像データ、オーディオデータによる画像、オーディオの視聴を行う場合であって、ＡＶアンプ３００がシステムオーディオモードオフの状態にあるときには、オーディオ増幅回路３１８がミューティング状態とされ、オーディオ増幅回路３１８から声出力端子３１９ａ〜３１９ｆにオーディオ信号は供給されない。
【０１００】
また、例えば、図１に示すＡＶシステム１００において、ビデオプレーヤ５００からの映像データ、オーディオデータによる画像、オーディオの視聴を行う場合であって、ＡＶアンプ３００がシステムオーディオモードオンの状態にあるときには、以下のような動作となる。すなわち、ＨＤＭＩスイッチャ３０６によりＨＤＭＩ端子３０２がＨＤＭＩ受信部３０７に接続される。また、セレクタ３１６ではＨＤＭＩ受信部３０７からのオーディオデータが取り出される。これにより、オーディオ出力端子３１９ａ〜３１９ｆには、ビデオプレーヤ５００からのオーディオデータに係る各チャネルのオーディオ信号が出力される。そのため、ＡＶアンプ３００に接続されているスピーカ群３５０からは、ビデオプレーヤ５００からのオーディオデータによるオーディオが出力される。
【０１０１】
ここで、ＡＶアンプ３００がジャンル連動モードオンにあるときには、ＤＳＰ３１７では、セレクタ３１６で取り出されたオーディオデータに対して、ビデオプレーヤ５００からＣＥＣラインで供給されるジャンル情報に対応した音場特性が付与される。そのため、ＡＶアンプ３００に接続されているスピーカ群３５０から出力されるオーディオは、ビデオプレーヤ５００のディスクから再生されるコンテンツの種別に対応した音場特性を持つものとなる。
また、テレビジョン受像機２００からＡＶアンプ３００にシアターモード設定が指示された場合には、このジャンル情報に応じた音場特性の設定に優先して、シアターモードで決められた音場設定が行われる。
【０１０２】
なお、ビデオプレーヤ５００からの映像データ、オーディオデータによる画像、オーディオの視聴を行う場合であって、ＡＶアンプ３００がシステムオーディオモードオフの状態にあるときには、オーディオ増幅回路３１８がミューティング状態とされ、オーディオ増幅回路３１８から声出力端子３１９ａ〜３１９ｆにオーディオ信号は供給されない。
【０１０３】
４．ＨＤＭＩ規格の伝送構成及び処理例［図８〜図１２］
図８は、ＨＤＭＩ送信部（ＨＤＭＩ送信部３０８、ＨＤＭＩ送信部４０２）と、ＨＤＭＩ受信部（ＨＤＭＩ受信部２０５、ＨＤＭＩ受信部３０７）の構成例を示している。
【０１０４】
ＨＤＭＩ送信部（ＨＤＭＩソース）は、一の垂直同期信号から次の垂直同期信号までの区間から、水平帰線区間および垂直帰線区間を除いた区間である有効画像区間（以下、適宜、アクティブビデオ区間ともいう）において、１単位の伝送を行う。即ち、クティブビデオ区間で、非圧縮の１画面分の画像の画素データに対応する差動信号を、複数のチャネルで、ＨＤＭＩ受信部（ＨＤＭＩシンク）に一方向に送信する。また、水平帰線区間または垂直帰線区間において、少なくとも画像に付随するオーディオデータや制御データ、その他の補助データ等に対応する差動信号を、複数のチャネルで、ＨＤＭＩ受信部に一方向に送信する。
【０１０５】
ＨＤＭＩ送信部は、トランスミッタ８１を有する。トランスミッタ８１は、例えば、非圧縮の画像の画素データを対応する差動信号に変換し、複数のチャネルである３つのＴＭＤＳチャネル＃０，＃１，＃２で、ＨＤＭＩケーブルを介して接続されているＨＤＭＩ受信部に、一方向にシリアル伝送する。
【０１０６】
また、トランスミッタ８１は、非圧縮の画像に付随するオーディオデータ、さらには、必要な制御データその他の補助データ等を、対応する差動信号に変換する。そして変換されたデータを、３つのＴＭＤＳチャネル＃０，＃１，＃２でＨＤＭＩケーブルを介して接続されているＨＤＭＩ受信部に、一方向にシリアル伝送する。
【０１０７】
さらに、トランスミッタ８１は、３つのＴＭＤＳチャネル＃０，＃１，＃２で送信する画素データに同期したピクセルクロックを、ＴＭＤＳクロックチャネルで、ＨＤＭＩケーブルを介して接続されているＨＤＭＩ受信部に送信する。ここで、１つのＴＭＤＳチャネル＃ｉ（ｉ＝０，１，２）では、ピクセルクロックの１クロックの間に、１０ビットの画素データが送信される。
【０１０８】
ＨＤＭＩ受信部は、アクティブビデオ区間において、複数のチャネルで、ＨＤＭＩ送信部から一方向に送信されてくる、画素データに対応する差動信号を受信する。また、ＨＤＭＩ受信部は、水平帰線区間または垂直帰線区間において、複数のチャネルで、ＨＤＭＩ送信部から一方向に送信されてくる、オーディオデータや制御データに対応する差動信号を受信する。
【０１０９】
すなわち、ＨＤＭＩ受信部は、レシーバ８２を有する。レシーバ８２は、ＴＭＤＳチャネル＃０，＃１，＃２で、ＨＤＭＩ送信部から一方向に送信されてくる、画素データに対応する差動信号と、オーディオデータや制御データに対応する差動信号を受信する。このとき、ＨＤＭＩ送信部からＴＭＤＳクロックチャネルで送信されてくるピクセルクロックに同期して受信する。
【０１１０】
ＨＤＭＩシステムの伝送チャネルには、画素データおよびオーディオデータを、シリアル伝送するための伝送チャネルとしての３つのＴＭＤＳチャネル＃０〜＃２と、ピクセルクロックを伝送する伝送チャネルとしてのＴＭＤＳクロックチャネルを有する。また、ＤＤＣ（Display Data Channel）８３やＣＥＣライン８４と呼ばれる伝送チャネルがある。
【０１１１】
ＤＤＣ８３は、ＨＤＭＩ送信部が、ＨＤＭＩケーブルを介して接続されたＨＤＭＩ受信部から、Ｅ−ＥＤＩＤ（Enhanced Extended Display Identification Data）を読み出すために使用される。ＤＤＣ８３は、ＨＤＭＩケーブルに含まれる図示せぬ２本の信号線からなる。
【０１１２】
すなわち、ＨＤＭＩ受信部は、ＨＤＭＩレシーバ８２の他に、ＥＤＩＤ  ＲＯＭ８５を有している。ＥＤＩＤ  ＲＯＭ８５は、自身の性能（Configuration/capability）に関する性能情報であるＥ−ＥＤＩＤを記憶している。ＨＤＭＩ送信部は、ＨＤＭＩケーブルを介して接続されているＨＤＭＩ受信部から、当該ＨＤＭＩ受信部のＥ−ＥＤＩＤを、ＤＤＣ８３を介して読み出す。そして、その読み出したＥ−ＥＤＩＤに基づき、例えば、ＨＤＭＩ受信部を有する電子機器が対応している画像のフォーマット（プロファイル）、例えば、ＲＧＢ、ＹＣbＣr４：４：４、ＹＣbＣr４：２：２等を認識する。
【０１１３】
ＣＥＣライン８４は、ＨＤＭＩケーブルに含まれる図示せぬ１本の信号線からなり、ＨＤＭＩ送信部とＨＤＭＩ受信部との間で、制御用のデータの双方向通信を行うのに用いられる。双方向の通信は時分割で行われる。
【０１１４】
また、ＨＤＭＩケーブルには、ＨＰＤ（Hot Plug Detect）と呼ばれるピンに接続されるライン８６が含まれている。ソース機器は、当該ライン８６を利用して、シンク機器の接続を検出することができる。また、ＨＤＭＩケーブルには、ソース機器からシンク機器に電源を供給するために用いられるライン８７が含まれている。さらに、ＨＤＭＩケーブルには、リザーブライン８８が含まれている。
【０１１５】
図９は、図８のＨＤＭＩトランスミッタ８１とＨＤＭＩレシーバ８２の構成例を示している。
【０１１６】
トランスミッタ８１は、３つのＴＭＤＳチャネル＃０，＃１，＃２にそれぞれ対応する３つのエンコーダ／シリアライザ８１Ａ，８１Ｂ，８１Ｃを有する。そして、エンコーダ／シリアライザ８１Ａ，８１Ｂ，８１Ｃのそれぞれは、そこに供給される画像データ、補助データ、制御データをエンコードし、パラレルデータからシリアルデータに変換して、差動信号により送信する。
【０１１７】
ここで、画像データが、例えばＲ（赤），Ｇ（緑），Ｂ（青）の３成分を有する場合、以下のようになる。即ち、Ｂ成分（Ｂ component）はエンコーダ／シリアライザ８１Ａに供給され、Ｇ成分（Ｇcomponent）はエンコーダ／シリアライザ８１Ｂに供給され、Ｒ成分（Ｒ component）はエンコーダ／シリアライザ８１Ｃに供給される。
【０１１８】
また、補助データとしては、例えば、オーディオデータや制御パケットがあり、制御パケットは、例えば、エンコーダ／シリアライザ８１Ａに供給され、オーディオデータは、エンコーダ／シリアライザ８１Ｂ，８１Ｃに供給される。
【０１１９】
さらに、制御データとしては、１ビットの垂直同期信号（VSYNC）、１ビットの水平同期信号（HSYNC）、および、それぞれ１ビットの制御ビットＣＴＬ０，ＣＴＬ１，ＣＴＬ２，ＣＴＬ３がある。垂直同期信号および水平同期信号は、エンコーダ／シリアライザ８１Ａに供給される。制御ビットＣＴＬ０，ＣＴＬ１はエンコーダ／シリアライザ８１Ｂに供給され、制御ビットＣＴＬ２，ＣＴＬ３はエンコーダ／シリアライザ８１Ｃに供給される。
【０１２０】
エンコーダ／シリアライザ８１Ａは、そこに供給される画像データのＢ成分、垂直同期信号および水平同期信号、並びに補助データを、時分割で送信する。すなわち、エンコーダ／シリアライザ８１Ａは、そこに供給される画像データのＢ成分を、固定のビット数である８ビット単位のパラレルデータとする。さらに、エンコーダ／シリアライザ８１Ａは、そのパラレルデータをエンコードし、シリアルデータに変換して、ＴＭＤＳチャネル＃０で送信する。
【０１２１】
また、エンコーダ／シリアライザ８１Ａは、そこに供給される垂直同期信号および水平同期信号の２ビットのパラレルデータをエンコードし、シリアルデータに変換して、ＴＭＤＳチャネル＃０で送信する。さらに、エンコーダ／シリアライザ８１Ａは、そこに供給される補助データを４ビット単位のパラレルデータとする。そして、エンコーダ／シリアライザ８１Ａは、そのパラレルデータをエンコードし、シリアルデータに変換して、ＴＭＤＳチャネル＃０で送信する。
【０１２２】
エンコーダ／シリアライザ８１Ｂは、そこに供給される画像データのＧ成分、制御ビットＣＴＬ０，ＣＴＬ１、並びに補助データを、時分割で送信する。すなわち、エンコーダ／シリアライザ８１Ｂは、そこに供給される画像データのＧ成分を、固定のビット数である８ビット単位のパラレルデータとする。さらに、エンコーダ／シリアライザ８１Ｂは、そのパラレルデータをエンコードし、シリアルデータに変換して、ＴＭＤＳチャネル＃１で送信する。
【０１２３】
また、エンコーダ／シリアライザ８１Ｂは、そこに供給される制御ビットＣＴＬ０，ＣＴＬ１の２ビットのパラレルデータをエンコードし、シリアルデータに変換して、ＴＭＤＳチャネル＃１で送信する。さらに、エンコーダ／シリアライザ８１Ｂは、そこに供給される補助データを４ビット単位のパラレルデータとする。そして、エンコーダ／シリアライザ８１Ｂは、そのパラレルデータをエンコードし、シリアルデータに変換して、ＴＭＤＳチャネル＃１で送信する。
【０１２４】
エンコーダ／シリアライザ８１Ｃは、そこに供給される画像データのＲ成分、制御ビットＣＴＬ２，ＣＴＬ３、並びに補助データを、時分割で送信する。すなわち、エンコーダ／シリアライザ８１Ｃは、そこに供給される画像データのＲ成分を、固定のビット数である８ビット単位のパラレルデータとする。さらに、エンコーダ／シリアライザ８１Ｃは、そのパラレルデータをエンコードし、シリアルデータに変換して、ＴＭＤＳチャネル＃２で送信する。
【０１２５】
また、エンコーダ／シリアライザ８１Ｃは、そこに供給される制御ビットＣＴＬ２，ＣＴＬ３の２ビットのパラレルデータをエンコードし、シリアルデータに変換して、ＴＭＤＳチャネル＃２で送信する。さらに、エンコーダ／シリアライザ８１Ｃは、そこに供給される補助データを４ビット単位のパラレルデータとする。そして、エンコーダ／シリアライザ８１Ｃは、そのパラレルデータをエンコードし、シリアルデータに変換して、ＴＭＤＳチャネル＃２で送信する。
【０１２６】
レシーバ８２は、３つのＴＭＤＳチャネル＃０，＃１，＃２にそれぞれ対応する３つのリカバリ／デコーダ８２Ａ，８２Ｂ，８２Ｃを有する。そして、リカバリ／デコーダ８２Ａ，８２Ｂ，８２Ｃのそれぞれは、ＴＭＤＳチャネル＃０，＃１，＃２で差動信号により送信されてくる画像データ、補助データ、制御データを受信する。さらに、リカバリ／デコーダ８２Ａ，８２Ｂ，８２Ｃのそれぞれは、画像データ、補助データ、制御データを、シリアルデータからパラレルデータに変換し、さらにデコードして出力する。
【０１２７】
すなわち、リカバリ／デコーダ８２Ａは、ＴＭＤＳチャネル＃０で差動信号により送信されてくる画像データのＢ成分、垂直同期信号および水平同期信号、補助データを受信する。そして、リカバリ／デコーダ８２Ａは、その画像データのＢ成分、垂直同期信号および水平同期信号、補助データを、シリアルデータからパラレルデータに変換し、デコードして出力する。
【０１２８】
リカバリ／デコーダ８２Ｂは、ＴＭＤＳチャネル＃１で差動信号により送信されてくる画像データのＧ成分、制御ビットＣＴＬ０，ＣＴＬ１、補助データを受信する。そして、リカバリ／デコーダ８２Ｂは、その画像データのＧ成分、制御ビットＣＴＬ０，ＣＴＬ１、補助データを、シリアルデータからパラレルデータに変換し、デコードして出力する。
【０１２９】
リカバリ／デコーダ８２Ｃは、ＴＭＤＳチャネル＃２で差動信号により送信されてくる画像データのＲ成分、制御ビットＣＴＬ２，ＣＴＬ３、補助データを受信する。そして、リカバリ／デコーダ８２Ｃは、その画像データのＲ成分、制御ビットＣＴＬ２，ＣＴＬ３、補助データを、シリアルデータからパラレルデータに変換し、デコードして出力する。
【０１３０】
図１０は、ＨＤＭＩの３つのＴＭＤＳチャネル＃０，＃１，＃２で各種の伝送データが伝送される伝送区間（期間）の例を示している。なお、図１０は、ＴＭＤＳチャネル＃０，＃１，＃２において、横×縦が７２０×４８０画素のプログレッシブの画像が伝送される場合の、各種の伝送データの区間を示している。
【０１３１】
ＨＤＭＩの３つのＴＭＤＳチャネル＃０，＃１，＃２で伝送データが伝送されるビデオフィールド（Video Field）には、伝送データの種類に応じて、以下の各区間が存在する。即ち、ビデオデータ区間（VideoData period）、データアイランド区間（Data Island period）、およびコントロール区間（Control period）の３種類の区間が存在する。
【０１３２】
ビデオフィールド区間は、ある垂直同期信号の立ち上がりエッジ（activeedge）から次の垂直同期信号の立ち上がりエッジまでの区間である。この区間は、水平ブランキング期間（horizontalblanking）、垂直ブランキング期間（vertical blanking）、アクティブビデオ区間（Active Video）に分けられる。アクティブビデオ区間は、ビデオフィールド区間から、水平ブランキング期間および垂直ブランキング期間を除いた区間である。
【０１３３】
ビデオデータ区間は、アクティブビデオ区間に割り当てられる。このビデオデータ区間では、非圧縮の１画面分の画像データを構成する７２０画素×４８０ライン分の有効画素（Active pixel）のデータが伝送される。
【０１３４】
データアイランド区間およびコントロール区間は、水平ブランキング期間および垂直ブランキング期間に割り当てられる。このデータアイランド区間およびコントロール区間では、補助データ（Auxiliary data）が伝送される。
【０１３５】
すなわち、データアイランド区間は、水平ブランキング期間と垂直ブランキング期間の一部分に割り当てられている。このデータアイランド区間では、補助データのうち、制御に関係しないデータである、例えば、オーディオデータのパケット等が伝送される。
【０１３６】
コントロール区間は、水平ブランキング期間と垂直ブランキング期間の他の部分に割り当てられている。このコントロール区間では、補助データのうちの、制御に関係するデータである、例えば、垂直同期信号および水平同期信号、制御パケット等が伝送される。
【０１３７】
ここで、現行のＨＤＭＩでは、ＴＭＤＳクロックチャネルで伝送されるピクセルクロックの周波数は、例えば１６５ＭＨｚであり、この場合、データアイランド区間の伝送レートは約５００Ｍbps程度である。
【０１３８】
図１１は、ＣＥＣライン（ＣＥＣチャネル）で伝送されるデータのブロック構成を示している。ＣＥＣラインでは、１ブロックが４．５ｍ秒で伝送される構成とされている。データ伝送開始時には、スタートビットが配置され、それに続いて、ヘッダブロックが配置され、その後に、実際に伝送したいデータが含まれる任意の個数（ｎ個）のデータブロックが配置される。図１２は、ヘッダブロックのデータ構造例を示している。ヘッダブロックには、送信元の論理アドレス（ソースアドレス）と、送信先の論理アドレス（シンクアドレス）とが配置される。
【０１３９】
５．シアターモードの設定時及び解除時に関する処理例［図１３〜図２０］
次に、テレビジョン受像機２００でシアターモードを設定した際の、システム内での動作例について説明する。これらの動作は、テレビジョン受像機２００ではＣＰＵ２３１の制御で行われ、ＡＶアンプ３００では、ＣＰＵ３２１の制御で行われる。
【０１４０】
まず、図１３のフローチャートを参照して、ＡＶアンプ３００で、システムオーディオコントロール［System Audio Control］をオンした場合の動作例を説明する。
このシステムオーディオコントロールオンの指示がある場合には（ステップＳ１１）、ＣＥＣチャネルで、テレビジョン受像機２００に対して画音モードを要求する（ステップＳ１２）。ステップＳ１１でのシステムオーディオコントロールオンの指示は、テレビジョン受像機２００のスピーカ出力を行う状態から、ＡＶアンプ３００のスピーカ群３５０よる出力への切換えがあった場合、またはＡＶアンプ３００の電源投入時に行われる。
【０１４１】
次に、図１４のフローチャートを参照して、ＡＶアンプ３００で、ＣＥＣ設定をオフからオンに変更時の動作例を説明する。
このＣＥＣ設定がオンになった際には（ステップＳ２１）、ＣＥＣメッセージで、テレビジョン受像機２００に対して画音モードを要求する（ステップＳ２２）。
【０１４２】
次に、図１５のフローチャートを参照して、ＡＶアンプ３００で、要求した画音モードを受信した場合の動作例を説明する。
ＣＥＣチャネルで画音モードの情報を受信すると（ステップＳ３１）、その受信した画音モードに変更があるか否か判断する（ステップＳ３２）。ここで、画音モードに変更がある場合には、通知された画音モードがノーマルモードか否か判断し（ステップＳ３３）、ノーマルモードの場合には、ＡＶアンプ内のＲＡＭ３２３に保持してあった以前の音場設定に戻す処理が行われる（ステップＳ３６）。また、通知された画音モードがノーマルモードでない場合には、現在設定中の音場をＲＡＭ３２３に保持させ（ステップＳ３４）、受信した画音モードに合わせた音場に変更する（ステップＳ３５）。例えば、画音モードとしてシアターモードが通知された場合には、予め決められたサラウンドモードの音場に変更する。
【０１４３】
次に、図１６のフローチャートを参照して、テレビジョン受像機２００でシアターモードをオンとする操作があった際の動作例を説明する。
まず、リモートコントローラ８００のシアターボタン８０２ａ（図６）が押されて、シアターモードがオンになると（ステップＳ４１）、テレビジョン受像機自信の画音モードをシアターモードに設定する（ステップＳ４２）。このときには、映像表示モードが対応したものになる。
【０１４４】
そして、ＣＥＣチャンネルで制御可能な機器としてＡＶアンプ３００が接続されているか否か判断し（ステップＳ４３）、接続がある場合には、オーディオ出力をＡＶアンプ３００のスピーカ群３５０に変更する（ステップＳ４４）。その後、ＣＥＣラインで画音モードをシアターモードであることをブロードキャストで通知する（ステップＳ４５）。ＡＶアンプの接続がない場合でも、ステップＳ４５での通知は行われる。
【０１４５】
次に、図１７のフローチャートを参照して、テレビジョン受像機２００でシアターモードを解除する際の動作例を説明する。
まず、シアターモードが設定中に、リモートコントローラ８００のシアターボタン８０２ａ（図６）が押されて、シアターモードがオフになると（ステップＳ５１）、テレビジョン受像機自信の画音モードをノーマルモードに設定する（ステップＳ５２）。このときには、映像表示モードがシアターモード設定前のモードになる。
【０１４６】
そして、ＣＥＣチャンネルで制御可能な機器としてＡＶアンプ３００が接続されているか否か判断し（ステップＳ５３）、接続がある場合には、オーディオ出力をＡＶアンプ３００のスピーカ群３５０から、テレビジョン受像機２００のスピーカに変更する（ステップＳ５４）。但し、シアターモードを設定する前の状態により、この解除時に使用するスピーカは異なる。その具体的なスピーカ切換え例については後述する。
ステップＳ５４の後、ＣＥＣラインで画音モードがノーマルモードであることをブロードキャストで通知する（ステップ５５）。ＡＶアンプの接続がない場合でも、ステップＳ５５での通知は行われる。
【０１４７】
次に、図１８のフローチャートを参照して、ＡＶアンプ３００でジャンル情報を受信した場合の動作例について説明する。
まず、ＣＥＣラインでジャンル情報を受信した場合（ステップＳ６１）、画音モードがノーマルモードか否か判断し（ステップＳ６２）、ノーマルモードである場合には、受信したジャンル情報に合った音場設定に変更する（ステップＳ６３）。そして、ノーマルモードでない場合（即ちシアターモードなどが設定されている場合）には、ジャンル情報による音場変更は行わない。
【０１４８】
図１９は、テレビジョン受像機側でシアターモードをオンとした際の、テレビジョン受像機とＡＶアンプでの通信状態を示した図である。
図１９では、ＨＤＭＩのネットワークとして、テレビジョン受像機２００とＡＶアンプ３００とビデオレコーダ４００を示してあるが、ビデオレコーダ４００は認証以外の処理は行っていない。
【０１４９】
まず、ＨＤＭＩ認証処理は終了しているとする（ステップＳ１０１）。この状態で、テレビジョン受像機２００側でシアターモードオンの操作があると（ステップＳ１０２）、システムオーディオモードのオンをＡＶアンプ３００に対して要求する（ステップＳ１０３）。この要求の受信で、ＡＶアンプ３００が、テレビジョン受像機からの光ケーブルを介して伝送されたオーディオ信号を出力させるように変更し（ステップＳ１０４）、システムオーディオモードがセットされたことを返送する（ステップＳ１０５）。但し、ステップＳ１０４では、オーディオ出力はまだミューティング（消音）されて出力されない。
【０１５０】
その後、テレビジョン受像機２００ではミューティングさせる処理が行われ（ステップＳ１０６）、同時に、ＡＶアンプ３００ではミューティングの解除処理が行われる（ステップＳ１０７）。その後、テレビジョン受像機２００からＡＶアンプ３００にオーディオステータスを問い合わせ（ステップＳ１０８）、その返信でＡＶアンプ３００の設定を確認する（ステップＳ１０９）。続いて、ＡＶアンプ３００からテレビジョン受像機２００に対して画音モードを要求し（ステップＳ１１０）、その返信でＡＶアンプ３００が画音モードを確認する（ステップＳ１１１）。この画音モードを確認することで、そのモードを反映した音場のモードがＡＶアンプ３００で設定される（ステップＳ１１２）。ステップＳ１１１での確認時の動作が、図１３のフローチャートでの動作に相当し、ステップＳ１１２での動作が、図１５の動作に相当する。
【０１５１】
図２０の状態遷移図は、テレビジョン受像機側のスピーカ（ＴＶスピーカ）とＡＶアンプ側のスピーカ群（ＡＶアンプスピーカ）との選択と、シアターモードのオン／オフとの関係を示した図である。ここでのシアターボタン操作とは、図６のシアターボタン８０２ａが押されたことを示す。
【０１５２】
ここで、各状態について説明する。
状態Ａは、シアターモードオフで、テレビジョン受像機のスピーカからオーディオ出力させている状態である。
状態Ｂは、シアターモードオンで、ＡＶアンプスピーカからオーディオ出力させている状態である。但し、この状態Ｂは、シアターモードオフ時には、テレビジョン受像機のスピーカからオーディオ出力させている場合の状態（つまり状態Ａから遷移した場合）である。
状態Ｃは、シアターモードオフで、ＡＶアンプスピーカからオーディオ出力させている状態である。
状態Ｄは、シアターモードオンで、ＡＶアンプスピーカからオーディオ出力させている状態である。但し、この状態Ｄは、シアターモードオフ時には、ＡＶアンプスピーカからオーディオ出力させている場合（つまり状態Ｃから遷移した場合）の状態である。
状態Ｅは、シアターモードオンで、テレビジョン受像機のスピーカからオーディオ出力させている状態である。この状態Ｅは、シアターモード設定中にスピーカをユーザ操作で切換えた場合にだけ存在する状態である。
【０１５３】
このように各状態が設定されている場合で、シアターモードオンとする操作があると、図２０に示すように、状態Ａから状態Ｂに移行し、或いは、状態Ｃから状態Ｄに移行する。また、シアターモードオフとする操作があると、元の状態に戻る。
そして、スピーカ切換え操作があると、状態Ａと状態Ｃとの間で変化し、或いは、状態Ｄと状態Ｅとの間で変化する。また、状態Ｂでスピーカ切換え操作があると状態Ｅとなる。さらに、状態Ｅの場合でシアターモードオフとなると、状態Ａに移行する。
【０１５４】
この図２０に示したシアターモードのオンオフに連動して、ＡＶアンプ３００での音場設定のサラウンド用の設定のオンオフが行われる。
このように本実施の形態のシステム構成によると、テレビジョン受像機側でシアターモードを設定するだけで、ＡＶアンプで自動的に音場が適正なものに設定され、連携した動作が可能となる。特に、シアターモード設定前の状態が、テレビジョン受像機から直接オーディオを出力させる状態であった場合には、出力スピーカの切換えも連動して行われ、非常に操作が簡単になる効果を有する。また、ＨＤＭＩのＣＥＣチャンネルを使ったコントロールであるので、ＡＶアンプが接続されていない場合には、このような処理が行われず、正しい接続がある場合にだけ、連携した動作が行われる効果を有する。
【０１５５】
また、視聴するＡＶコンテンツのジャンル情報に基づいて音場設定が行われている場合であっても、シアターモード時には、そのジャンル情報に基づいた設定を無視するようにした。このため、ユーザ操作によるシアターモードの音場設定を、確実に行うことができる。
なお、上述した実施の形態で説明したシアターモードなどのモードの名称は一例を示したものであり、音場、音響、音質などを設定する他のモードにより、同様の処理を行うようにしてもよい。また、機器を接続するネットワークについても、ＨＤＭＩは一例であり、他の方式のネットワークを適用してもよい。
【符号の説明】
【０１５６】
１００…ＡＶシステム、２００…テレビジョン受像機、２０１，２０２…ＨＤＭＩ端子、２０３…光出力端子、３００…ＡＶアンプ、３０１〜３０４…ＨＤＭＩ端子、３０５…光入力端子、３０６…ＨＤＭＩスイッチャ、３０７…ＨＤＭＩ受信部、３０８…ＨＤＭＩ送信部、３１０…変換部、３１１…アナログオーディオ入力端子、３１２…アンテナ端子、３１３…チューナ、３１４，３１６…セレクタ、３１７…ＤＳＰ、３１８…オーディオ増幅回路、３１９ａ〜３１９ｆ…オーディオ出力端子、３２０…内部バス、３２１…ＣＰＵ（中央制御ユニット）、３２２…フラッシュＲＯＭ、３２３…ＤＲＡＭ、３５０…スピーカ群、４００…ビデオレコーダ、４０１…ＨＤＭＩ端子、５００…ビデオプレーヤ、５０１…ＨＤＭＩ端子、６００…ビデオレコーダ、６０１…ＨＤＭＩ端子、７０１，７０３〜７０６…ＨＤＭＩケーブル、７０２…光ケーブル、８００…リモートコントローラ、８０１…リモートコントロール信号送信部、８０２…操作キー、８０２ａ…シアターモードボタン
【図１】
2010258604.tif 000003
【図２】
2010258604.tif 000004
【図３】
2010258604.tif 000005
【図４】
2010258604.tif 000006
【図５】
2010258604.tif 000007
【図６】
2010258604.tif 000008
【図７】
2010258604.tif 000009
【図８】
2010258604.tif 000010
【図９】
2010258604.tif 000011
【図１０】
2010258604.tif 000012
【図１１】
2010258604.tif 000013
【図１２】
2010258604.tif 000014
【図１３】
2010258604.tif 000015
【図１４】
2010258604.tif 000016
【図１５】
2010258604.tif 000017
【図１６】
2010258604.tif 000018
【図１７】
2010258604.tif 000019
【図１８】
2010258604.tif 000020
【図１９】
2010258604.tif 000021
【図２０】
2010258604.tif 000022